(57)【要約】      （修正有）【課題】短時間でジェルネイルの硬化処理を行え、両面テープの剥離紙を容易に剥がすことが可能であり、少量の粘土を被せるだけで不都合なくネイルチップへの装飾作業を行えるネイルチップ用スタンドを提供する。【解決手段】磁石を埋設した基台部２と、基台部上に設けられる支柱部３と、支柱部上に設けられる受け片４とにより構成した。また、ネイルチップ７を受け片に取付けた際に、ネイルチップの上端側或るいは下端側の一方或るいは双方側に位置する受け片部位を湾曲形状に構成した。さらに、ネイルチップを受け片に取付けた際に、ネイルチップの正面側および背面側に位置する受け片部位に、先端が鋭角に尖ったエッジ部を設けて構成した。【選択図】図１
0003189544.tif 000002
【実用新案登録請求の範囲】
【請求項１】
基台部と、基台部上に設けられる支柱部と、支柱部上に設けられる受け片より成るネイルチップ用スタンドであって、
基台部に磁石を埋設したことを特徴とするネイルチップ用スタンド。
【請求項２】
ネイルチップを受け片に取付けた際に、ネイルチップの上端側或るいは下端側の一方或るいは双方側に位置する受け片部位を湾曲形状とした請求項１に記載のネイルチップ用スタンド。
【請求項３】
ネイルチップを受け片に取付けた際に、ネイルチップの両側片側に位置する受け片部位に、先端が鋭角に尖ったエッジ部を設けた請求項１又は２に記載のネイルチップ用スタンド。
【考案の詳細な説明】
【技術分野】
【０００１】
本考案はネイルチップに装飾を施す際にネイルチップを固定するために用いられるネイルチップ用スタンドに関する。
【背景技術】
【０００２】
マニキュアは爪の装飾を目的とした化粧品として、女性の間で広く用いられている。かかるマニキュアは、爪の表面に色や艶を持たせ、華やかに装飾することを目的としたものであり、爪表面に美粧的効果を付与することができるものである。
【０００３】
現在では、マニキュアの特徴である爪表面への美粧的効果に加え、爪の長さを自在に調整し、より厚みのある美しい形の爪にする方法として、ネイルチップと呼ばれる人工爪を自爪に接着剤等を用いて装着する方法が汎用されている。ネイルチップを使用すれば自爪に直接マニキュアを塗布して装飾する場合等に比べて、爪への負担を軽減することができ、さらに作業時間を短縮することができる。
【０００４】
係るネイルチップに装飾を施す際に、チップスタンドと呼ばれるネイルチップを固定するための台が用いられることがある。このチップスタンドは一般的に、定板上へ支柱を設け、支柱上へネイルチップを支持する受片を設けた構造となっている。
【０００５】
また、ネイルチップは通常複数個をまとめて施飾することから、チップスタンドを５個一セットとして、且つ、施飾しやすいように互いに十分な間隔をおいて、１枚の盤体上に設置することが多い。
【０００６】
そして、ネイルチップのチップスタンドへの固定手段としては、受片に両面粘着テープを貼付する、あるいは受片に粘土を被せるといった方法がとられるのが一般的である。
【０００７】
特許文献１には、基台に設けた支持部材に、支柱を着脱自在に取り付け可能とすると共に、前記支柱へネイルチップの保持台を首振り可能に連結したことを特徴とするネイルチップ用スタンドが開示されている。
【先行技術文献】
【特許文献】
【０００８】
【特許文献１】特開２００４−３１３６３４号公報
【考案の概要】
【考案が解決しようとする課題】
【０００９】
１、  ＬＥＤライトで照射することで硬化する光硬化樹脂（アクリル系樹脂）のジェルを用いて、自爪やネイルチップに装飾を施すいわゆるジェルネイルという装飾法が多用されている。具体的には、自爪にジェルで装飾を施し、或るいはネイルチップ用スタンドにネイルチップを装着したうえで、ジェルで装飾を施し、手、或るいはネイルチップ用スタンドごと専用のＬＥＤライト内に入れ、照射しジェルを硬化させるものである。
【００１０】
このジェルネイル用のＬＥＤライトは、一般的に内部空間が縦横それぞれ１５センチメートル、高さが５センチメートル程度の広さを有するものであり、自爪にジェルで装飾を施す場合を想定した製品である。
【００１１】
かようにネイルチップ用スタンドを内部に収容して硬化処理を行う場合を想定したものではないことから、内部空間にネイルチップ用スタンドを収容しづらく、殊に上述のチップスタンドを５個一セットとして１枚の盤体上に設置したものはサイズ的にＬＥＤライト内に収納することが出来ない。
【００１２】
また、ランプを直視すると目に悪影響を与える恐れが有ることから、手探りでネイルチップ用スタンドを上記空間に収容することが一般的であるが、かように目視せず、手探りで複数のネイルチップ用スタンドを入れると互いにくっつく恐れがあり、実際にはネイルチップ用スタンドを１個づつ収容して照射することが通常である。しかし、係る方法では指５本分のネイルチップに装飾を施すためには長時間を要してしまう。
【００１３】
そこで、個別のチップスタンドをジョイント可能に構成したものもあるが、施飾後にいちいちジョイントする手間や、仮にジョイントしたまま施飾しても、ジョイント角度も決まっているので作業がしづらいという難点がある。
【００１４】
そこで本考案は、ＬＥＤライト内にまとめて収納する作業が容易であり、それゆえ短時間でジェルネイルの硬化処理を行え、更には個別の施飾作業が容易なネイルチップ用スタンドを提供することを目的とする。
【００１５】
２、ネイルチップをチップスタンドの受け片に装着し固定する方法としては、両面テープによるものと粘土によるものが一般的である。
【００１６】
両面テープによる場合には、受け片に両面テープを貼着した後に、受け片と反対側の面の剥離紙を剥がし、ネイルチップを当該剥離紙を剥がした両面テープに貼り付けるものである。ところが、上記剥離紙を剥がす作業が手間取ることが多々あった。
【００１７】
そこで本考案は、受け片に貼着した両面テープの剥離紙を容易に剥がすことが可能なネイルチップ用スタンドを提供することを目的とする。
【００１８】
また、受け片に粘土を被せ、当該粘土にネイルチップを貼り付けることで固定する場合には、ネイルチップを粘土から取り外す際に、粘土ごと剥がれてしまうことが多々あった。かかる不都合を回避するためにチップスタンド全体に粘土を被せることが行われることもあるが、係る方法によるとネイルチップから粘土がはみ出でしまい、ネイルチップ装飾手段により粘土が汚れてしまうという難点がある。
【００１９】
そこで本考案は、受け片に少量の粘土を被せるだけで不都合なくネイルチップへの装飾作業を行えるネイルチップ用スタンドを提供することを目的とする。
【課題を解決するための手段】
【００２０】
上記の目的を達成する本考案の構成は次の通りである。
【００２１】
（１）  請求項１に記載の考案は、磁石を埋設した基台部と、基台部上に設けられる支柱部と、支柱部上に設けられる受け片とにより構成される。
【００２２】
（２）  請求項２に記載の考案は、請求項１に記載のネイルチップ用スタンドにおいて、ネイルチップを受け片に取付けた際に、ネイルチップの上端側或るいは下端側の一方或るいは双方側に位置する受け片部位を湾曲形状に構成した。
【００２３】
（３）  請求項３に記載の考案は、請求項１又は２に記載のネイルチップ用スタンドにおいて、ネイルチップを受け片に取付けた際に、ネイルチップの両側片側に位置する受け片部位に、先端が鋭角に尖ったエッジ部を設けて構成した。
【考案の効果】
【００２４】
上記のように構成される本考案が、如何に作用して課題を解決するかを図面を参照しながら概説する。
【００２５】
本考案にかかるネイルチップ用スタンド１は、図２に示すように基台部２、基台部２上に連設される支柱部３、支柱部３上に連設される受け片４とにより成るものであり、図１に示すようにネイルチップ７を受け片４に装着して使用するものである。
【００２６】
基台部２内には、図４に示されるように磁石５が埋設されている。それゆえ、ネイルチップ用スタンド１は、図５に示されるように鉄その他の磁性材料で形成された板材６に磁力で固定可能なものとなる。かように隣り合うネイルチップ用スタンド１同士が接触することのない状態で固定可能であるがゆえに、図示されるように複数個のネイルチップ用スタンド１・・を板材６上に立設固定が可能となる。
【００２７】
それゆえ、ジェルネイルを塗布装飾したネイルチップを装着した複数個のネイルチップ用スタンド１・・を立設固定した状態で、板材６ごとＬＥＤランプ内に収納可能となり、つまりは複数個のネイルチップに対して、同時にジェルネイルの硬化作業を行うことが可能となる。
すなわち短時間での施飾が可能なネイルチップ用スタンドの提供が可能となるのである。
【００２８】
また、上述のチップスタンドをジョイント可能に構成したもののようなジョイント作業が不要であり、板材上に置くだけで固定なものである。ジョイントしたまま施飾しても、ジョイント角度も決まっているので作業がしづらいという難点も、本件のネイルチップ用チップスタンドは一つずつ手に持ち、回転させ、方向を変えながら施飾可能であり、作業の容易性が高まるものである。
【００２９】
また、磁性材料の上であればネイルチップ用スタンド１を立設固定可能であるので、施術場所を選ばないという利点もある。例えばテーブルの上に鉄製の薄板を載せ、キッチンペーパーを敷き、その上にネイルチップ用スタンド１を固定すれば、エアブラシによる施飾を行っても、キッチンペーパーのみ取り替えれば、テーブルを汚すこと無く施術が可能となるものである。更には隣接するネイルチップスタンド間の距離を取れるので、エアブラシによる作業時に、隣のネイルチップに噴出される絵具が飛び移るといったことを防ぐことも可能となる。
【００３０】
更には、ネイルチップ用スタンド１に施飾したネイルチップを装着した状態で、簡単に展示できるという効果も有するものである。従来は施飾したネイルチップのサンプルを需要者に展示する際には、クリアボードに直接両面テープで貼り付けるという方法が取られていたが、係る方法ではサンプルを需要者が手に取り確認することが出来ず、また、展示者もサンプルの交換がしづらいという難点があった。しかし、本考案によれば、例えばマグネットボードにネイルチップを装着したネイルチップ用スタンド１を立設して展示すれば、磁石により立設されていることから、需要者は簡単に手に取ることが出来、また展示者も簡単に交換が可能なものである。
【００３１】
図６は、受け片４に両面テープ８を貼り付けた状態を示すものである。受け片４の図中左右端部４ａ、４ｂは湾曲形状を呈しており、両面テープ８を貼着すると、自然と端縁部の剥離紙８ａが剥がれるものである。かように本考案によれば、両面テープの剥離紙を容易に剥がすことが可能なネイルチップ用スタンドを提供することが可能となるのである。
【００３２】
図７は、受け片４に粘土９を被せた状態の断面図である。受け片４にはエッジ部４ｃが設けてあり、係るヘッジ部４ｃにより、粘土９が掛止されるものである。かように粘土９が掛止されることから、ネイルチップを粘土９から取り外す際に、粘土９ごと受け片４から剥がれてしまうことを可及的に抑制可能となるのである。また、ネイルチップ用スタンド１全体を覆うほどの粘土を使用する必要もなく、受け片４を薄く覆う程度で充分なので、受け片４に装着したネイルチップから粘土がはみ出ることもない。
【００３３】
かようにして、本考案によれば受け片に少量の粘土を被せるだけで不都合なくネイルチップへの装飾作業を行えるネイルチップ用スタンドを提供することが可能となるのである。
【００３４】
更には図８に示すように磁性材料で形成された容器本体１０の蓋１０a内に収納すれば、ネイルチップ用スタンド１は固定され倒れる恐れがないので、装飾途中のネイルチップ７を装着したままの状態で、容器本体１０を蓋１０aに嵌め込んだ形態で持ち運び可能となるものである。
【００３５】
容器１０ではなく蓋１０aに収納するのは、一般に箱状容器において容器本体より蓋の方が高さが小さいことによる。すなわち、ネイルチップ用スタンド１は支柱部３を摘みながら設置することから、高さ（深さ）のある容器本体１０に収容しようとすると施飾したネイルチップに手が触れてしまう恐れが有るのに対し、高さ（深さ）の小さい蓋であれば、横からスライドさせて支柱部３を持ちながら着け外しが可能だからである。
【００３６】
カラーポリッシュを用いて施飾する際に、容器内に収納し、蓋をすれば、埃が付着することを防ぐことが可能であり、ポリッシュが乾いていない状態での保管場所を選ばないという利点も有する。
【００３７】
更には、この容器１０の大きさをＬＥＤランプ内に収納可能な程度のものとすれば、容器１０ごとＬＥＤランプに入れ、光線照射が可能となり使い勝手に富むものとなる。また、容器１０内にキッチンペーパーを敷いてその上からネイルチップ用スタンド１を立設固定すれば、容器１０を汚すことなく、しかも容器１０内に立設したまま装飾を施すことが可能となる。
【００３８】
以上の使用法を詳述すれば、図９に示すように、施飾時は容器本体１０の裏に取り付けて作業するものである。なぜなら、容器本体１０の内側で施飾をするには容器本体１０の側辺１０ｂが邪魔になるからである。また、容器本体１０高さがあることから作業し易く、更には、キッチンペーパー使用時も容器本体１０内部で施飾作業を行おうとするとキッチンペーパーを容器本体１０内部のサイズに切り揃えないといけないのに対し、容器本体１０の裏にネイルチップ用スタンド１を立設して作業をする際には、キッチンペーパーを容器本体１０の裏に被せるだけでよく、切り揃える必要がないからである。
【００３９】
ジェルネイルによる施飾の場合は、ＬＥＤライトに入れる時に高さが出てはいけないので、蓋１０ａの内側に設置してＬＥＤライト内に収納するものである。
【００４０】
以上のように、本願に係るネイルチップ用スタンドを用いれば、ジェルネイル、エアブラシ、カラーポリッシュいずれの施飾法にも対応可能なものであり、従来チップスタンドの場合のような、ジェルの場合はこの形状のチップスタンド、エアブラシの場合は別のタイプのチップスタンド、ポリッシュの場合はこの形態のチップスタンドといった使い分けをする必要がなくなるものである。
【００４１】
以上、本願にかかるネイルチップ用スタンドを用いれば、ネイルチップを装着した状態で一つづつ手に持ち、自由な角度から施飾が可能であり、しかも、磁石で固定可能であることから、磁性材料で形成された材の上であれば、任意箇所に容易に固定可能となるという、ネイルアーチストにとって非常に使い勝手のよいチップスタンドの提供が可能となるのである。
【図面の簡単な説明】
【００４２】
【図１】本考案の使用状態を示す説明図
【図２】本考案の正面図
【図３】同、側面図
【図４】Ａ−Ａ線断面図
【図５】実施状態を示す説明図
【図６】実施状態を示す説明図
【図７】実施状態を示す説明図
【図８】実施状態を示す説明図
【図９】実施状態を示す説明図
【考案を実施するための形態】
【００４３】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００４４】
本考案にかかるネイルチップ用スタンド１は図１乃至図３に示すように基台部２、支柱部３及び受け片４より成るものである。
【００４５】
基台部２は図においては円柱形状を呈しているが、むろんかかる限定を受けるものではなく、内部に磁石を埋設可能であり、且つ、安定して立設可能な形状であれば、直方体形状、立方体形状、その他任意の形状を採用できる。
【００４６】
基台部２内には図７に示されるように磁石５が埋設されている。磁石５としては磁力が強力なネオジウム磁石が好ましいが、むろんかかる限定を受けるものではなく、ネイルチップ用スタンド１を、施飾時にぐらつかない程度に支持可能であれば、任意の磁石を採用できる。
【００４７】
支柱部３は基台部２上に存し、受け片４と基台部３の間に介在される円柱状部材である。図示される形状は基台部２とは明瞭に区別されると共に受け片４とは湾曲形状を呈しながら連続的な形態になっているが、むろんかかる限定を受けるものではなく、基台部３となだらかに湾曲形状を呈しながら連続的に設けても構わないし、受け片４とは明瞭に区別される形態に設けても構わない。要は基台部２と受け片４との間に介在させることで、受け片４に施飾するために適度な設置面からの高さを付与できれるものであれば、支柱部３は任意の形状を採用できる。
【００４８】
受け片４は支柱部３上に存するものであり、図１に示すようにネイルチップ７を受け片４に取付けた際に、ネイルチップ７の上端側７ａ或るいは下端側７ｂの一方或るいは双方側に位置する部位４ａ、４ｂを湾曲形状に形成したものである。受け片４の上面はネイルチップ７の内側面と略相似形に形成され、ネイルチップ７をガタつかせずに装着可能な形状に構成してある。
【００４９】
また、図２乃至図４に示すように、受け片４の正面側および背面側、すなわちネイルチップを受け片４に取付けた際に、ネイルチップの両側片側に位置する受け片部位に、先端が鋭角に尖ったエッジ部４ｃが設けてある。エッジ部４ｃは、図２に示されるように、受け片４の両側端近傍にわたる長さに設けてあるが、むろんかかる限定を受けるものではなく、受け片４に被せた粘土９が掛止可能な程度の長さを有すれば任意長さで足りるものである。
【００５０】
基台部２、支柱部３及び受け片４は一体成形しても構わないし、別個に成形したものを接合しても構わない。素材としてはネイルアート施飾時に使用されることが多いアセトンやエタノールといったアルコール系の有機溶剤に耐性を持つ素材、例えばＰＥＴやＰＰを用いることが好ましい。かかる耐性を持つ素材を使えば、例えばＬＥＤライトで硬化作業を行った後の、未硬化ジェルをエタノールで除去する作業が容易に行えるものとなる。
【符号の説明】
【００５１】
１・・ネイルチップ用スタンド
２・・基台部
３・・支柱部
４・・受け片
５・・磁石
６・・板材
７・・ネイルチップ
８・・両面テープ
９・・粘土
１０・・容器
【図１】
0003189544.tif 000003
【図２】
0003189544.tif 000004
【図３】
0003189544.tif 000005
【図４】
0003189544.tif 000006
【図５】
0003189544.tif 000007
【図６】
0003189544.tif 000008
【図７】
0003189544.tif 000009
【図８】
0003189544.tif 000010
【図９】
0003189544.tif 000011
【手続補正書】
【提出日】平成26年1月9日(2014.1.9)
【手続補正１】
【補正対象書類名】実用新案登録請求の範囲
【補正対象項目名】全文
【補正方法】変更
【補正の内容】
【実用新案登録請求の範囲】
【請求項１】
基台部と、基台部上に設けられる支柱部と、支柱部上に設けられる受け片より成るネイルチップ用スタンドであって、
基台部に磁石を埋設したことを特徴とするネイルチップ用スタンド。
【請求項２】
ネイルチップを受け片に取付けた際に、ネイルチップの上端側或るいは下端側の一方或るいは双方側に位置する受け片部位を湾曲形状とした請求項１に記載のネイルチップ用スタンド。
【請求項３】
ネイルチップを受け片に取付けた際に、ネイルチップの正面側および背面側に位置する受け片部位に、先端が鋭角に尖ったエッジ部を設けた請求項１又は２に記載のネイルチップ用スタンド。